(57)【要約】      （修正有）【課題】従来の発電機は発電コイルに対して直角方向に磁力線を当て、発電電流による回転磁石の回転方向に対し、逆回転方向の磁力が発生する。この逆回転方向に対抗するため回転磁石の動力を要す。【解決手段】変圧器の一次コイルと同じ磁界の変化を回転磁石５の回転で行い、回転磁石５に対向する発電受極４を全周に渡り配置することで回転磁石５が発電受極４から離れる際に生じる逆回転方向の磁力が作用しないようにすることである。【選択図】図１
2009201341.tif 000002
【特許請求の範囲】
【請求項１】
回転磁石の全周に渡り回転磁石の磁力線の受極を有することを特徴とする発電機。
【発明の詳細な説明】
【発明の詳細な説明】
【産業上の利用分野】
【０００１】  発電機。
【発明が解決しようとする課題】
【０００２】  従来の発電機は発電コイルに対して直角方向に磁力線を当て、発電電流による回転磁石（５）の回転方向に対し、逆回転方向の磁力が発生する。この逆回転方向に対抗する回転磁石（５）の動力を要す。
【課題を解決するための手段】
【０００３】  本発明は、変圧器の一次コイルと同じ磁界の変化を回転磁石（５）の回転で行い、回転磁石（５）に対向する発電受極（４）を全周に渡り配置することで回転磁石（５）が発電受極（４）から離れる際に生じる逆回転方向の磁力が作用しない。
【実施例】
【０００４】  図１は４極単相発電機、図２は４極三相発電機の概略を示す。
回転磁石（５）の軸（１）の軸受、及び軸（１）の回転手段、また磁気回路の鉄芯（２）の固定手段、及び発電受極（４）、磁気回路の鉄芯（２）、コイル鉄芯（３）の発電コイルが図示されていない図１、２において全周に渡り磁気受極（４）が磁気漏れを最小にして配置されているため回転磁石（５）が磁気受極（４）から離れる際に生じる磁気の引き離しの回転力は次の磁気受極（４）に吸い寄せのため回転力は通常の発電機の無負荷運転と同じ互いに打ち消される。
このため回転磁石（５）の軸（１）は図示されていない軸受、駆動手段の軸受の摩擦、及び回転磁石（５）の風損等の僅かな回転力で駆動が可能で、駆動手段に制限なし。【０００５】  図示されていない発電電圧のサインカーブ、及び電圧制御は考慮されていない。
電圧制御の場合は回転磁石（５）の永久磁石に別途コイルを巻き付け永久磁石の磁気の増減制御を行い、また発電電圧を整流し別途インバーターを設け、また三相の場合は特殊な変圧器を介してサインカーブが得られる。【０００６】  また磁気受極（４）の互いの磁気漏れを無視して同一面の全周に僅かな透き間を設け磁気受極（４）を配置すれば発電機の小型化が可能である。
【発明の効果】
【０００７】  変圧器と同じ特性の発電機で図１、２の回転軸（１）に図示されていない動力は任意なため発電機の応用範囲は玩具から宇宙船まで無限であり、安価な発電電力が得られる。
【図面の簡単な説明】
【図１】４極単相発電機。
【図２】４極三相発電機。
【符号の説明】
１  回転軸
２  磁気回路の鉄芯
３  コイル鉄芯
４  磁気受極
５  回転磁石
【図１】
2009201341.tif 000003
【図２】
2009201341.tif 000004
【手続補正書】
【提出日】平成20年2月26日(2008.2.26)
【手続補正１】
【補正対象書類名】明細書
【補正対象項目名】０００６
【補正方法】変更
【補正の内容】
【０００６】  また磁気受極（４）の互いの磁気漏れを無視して同一面の全周に僅かな透き間を設け磁気受極（４）を配置すれば発電機の小型化が可能である。また、磁気受極（４）の渦電流に関して図１、２は何ら考慮されていないが磁気受極（４）の渦電流による回転磁石（５）の駆動損失、及び磁気回路（２、３、４）の磁気漏れを考慮した特殊な材料、及び形状、成型は困難と思料される。
【手続補正書】
【提出日】平成20年4月3日(2008.4.3)
【手続補正１】
【補正対象書類名】特許請求の範囲
【補正対象項目名】請求項１
【補正方法】変更
【補正の内容】
【請求項１】
変圧器形発電機において、回転磁石の全周に渡り回転磁石の磁気受極を有することを特徴とする発電機。
【手続補正２】
【補正対象書類名】明細書
【補正対象項目名】０００３
【補正方法】変更
【補正の内容】
【０００３】
【課題を解決するための手段】
本発明は、変圧器の一次コイルと同じ磁気の変化を回転磁石（５）の回転で行い、回転磁石（５）に対向する磁気受極（４）を全周に渡り配置することで回転磁石（５）が磁気受極（４）から離れる際に生じる逆回転方向の磁力が作用しない。
【手続補正３】
【補正対象書類名】明細書
【補正対象項目名】０００４
【補正方法】変更
【補正の内容】
【０００４】
【実施例】
図１は４極単相発電機、図２は４極三相発電機の概略を示す。
図示されていない従来の自転車の発電ランプと同様の発電コイルに直接回転磁気を直角方向に作用させない変圧器と同様の発電機において、永久磁石を用いた回転磁石（５）の軸（１）の軸受、及び軸（１）の回転手段、また磁気回路の鉄芯（２）の固定手段、及び磁気受極（４）、磁気回路の鉄芯（２）、コイル鉄芯（３）の発電コイルが図示されていない図１、２の略図で、回転磁石（５）の全周に渡り磁気受極（４）が磁気漏れを最小にして配置されているため回転磁石（５）の個々の磁石が磁気受極（４）から離れる際に生じる磁気の引き離しの回転力は次の磁気受極（４）に吸い寄せのため回転力は通常の発電コイルに直接回転磁気を直角方向に作用させる発電機の無負荷運転と同じである。
このため図示されていない回転磁石（５）の駆動の回転抵抗は軸受の摩擦、及び風損、磁気受極（４）の詳細に図示されていないケイ素鋼板に生じる渦電流の損失等の僅かな回転力で駆動が可能で、駆動の手段も任意。
また回転磁石（５）、磁気受極（４）の極数、及び回転磁石（５）に対する磁気回路（２、３、４）の方向、及び形状は任意である。
【手続補正４】
【補正対象書類名】明細書
【補正対象項目名】０００５
【補正方法】変更
【補正の内容】
【０００５】  図示されていない発電電圧の正弦波形、及び電圧の制御は考慮されていない。
周波数については回転磁石（５）の図示されていない駆動装置を定回転、及び同期に制御すれば周波数は確保される。
電圧制御の場合は回転磁石（５）の永久磁石に図示されていない別途コイルを巻き付け永久磁石の磁気の増減制御を行い、また発電電力で従来の発電機を駆動、また発電電力を整流し別途インバーター類を設け、電圧、周波数、相数の制御が可能。
これは磁気受極（４）は全周に設けることは可能であるが、相手の回転磁石（５）の個々の磁石は離して磁気のリークを少なくする必要があり磁気受極（４）と同じ幅にすることが困難なため発電電圧の正弦波形は難しい。また正弦波形にすると回転磁石（５）の外径の円形を変形して凸形にする必要から回転磁石（５）の図示されていない駆動に余分な動力を要す。
また、図示されていない発電コイルは磁気回路の鉄芯（２）及びコイル鉄芯（３）の何れに巻き付けるのも任意。
【手続補正５】
【補正対象書類名】明細書
【補正対象項目名】０００６
【補正方法】変更
【補正の内容】
【０００６】  また磁気受極（４）の互いの磁気漏れを無視、または磁気漏れを防止し回転磁石（５）の同一面の全周に僅かな透き間を設けて配置すれば発電機の小型化が可能である。また、磁気受極（４）の渦電流に関して図１、２は何ら考慮されていないが磁気受極（４）の渦電流による回転磁石（５）の回転損失、及び磁気回路（２、３、４）の磁気漏れの防止、及びケイ素鋼板等の成型は困難と思料。
【手続補正６】
【補正対象書類名】明細書
【補正対象項目名】０００７
【補正方法】変更
【補正の内容】
【０００７】
【発明の効果】
変圧器と同じ特性の発電機で図１、２の回転軸（１）の駆動に図示されていない動力は本発明の発電機の電力等任意なため本発明の発電機の応用範囲は玩具等から宇宙船等に至るまで多種多様であり、電池類、及び石油、石炭、可燃ガス類、原子力動力等の代用を含め家庭、農業、産業、船舶、自動車、列車、航空機等安価で公害のない電力、及び動力源が得られ普及することで送電線、電柱等が必要なく海水等の電気分解、及び造水、及び環境に広く貢献する社会の強い要望に答えるために発明されたものである。